(57)【要約】      （修正有）【課題】折り畳み状態の有底筒状の外装体の展開をスムーズに行なう。【解決手段】外装体のブランク３の底面部６は中央折れ線Ｌ６、Ｌ６ａ、Ｌ６ａを有する３枚の底面部材１３、１４、１４ａを有し、各側方底面部材１４、１４ａの２枚の側方フラップ１６、１６ａを、中央折れ線Ｌ６ａの内端と境界折れ線Ｌ４、Ｌ４ａ、Ｌ５、Ｌ５ａの外端を結ぶ直線で、底部形成部位１７、１７ａと連結部位１８、１８ａとに区割し、側方底面部材における一方の底部形成部位１７及び連結部位１８の境界に折込み折れ線Ｌ９を形成し、展開状態の外装体２の側方底面部材における一方の連結部位が他方の底部形成部位１７ａに重なると共に、他方の連結部位１８ａ一方の連結部位と他方の底部形成部位との間に折り込まれて側方底部位を形成し、中央底面部材１３が中央底部位と成って、側方底部位及び中央底部位で底部を形成する。【選択図】図３
2016159958.tif 000002
【特許請求の範囲】
【請求項１】
密閉袋の下方部位を六角有底筒状の外装体で囲った複合包装材であって、
前記外装体のブランクを、前面部、後面部、該前面部及び後面部の間に配置する底面部、前記前面部及び後面部の両側部に位置する糊代部とで構成され、前記前面部は３枚の前面部材を有し、該前面部材の境界部に分割折れ線を形成し、前記後面部は３枚の後面部材を有し、該後面部材の境界部に分割折れ線を形成し、底面部は、各々が独立した３枚の底面部材を有し、各底面部材は２枚のフラップを有し、該フラップの境界部に中央折れ線を形成し、両側方の底面部材は、前記中央折れ線の内端と前記境界折れ線の外端を結ぶ直線で、底部形成部位と連結部位とに区割され、該連結部位の間に前記中央折れ線が形成され、前記両側方の底面部材における一方の底部形成部位及び連結部位の境界に折込み折れ線を形成し、前記底部形成部位と前記連結部位の境界線は、展開状態の前記外装体における中央の底面部材の中央折れ線の延長線上に配置される様に設定され、展開状態の前記外装体の前記両側方の底面部材における一方の連結部位が他方の底部形成部位に重なると共に、他方の連結部位一方の連結部位と他方の底部形成部位との間に折り込まれて形成される側方底部位と、前記中央の底面部材で形成される中央底部位とで底部を形成可能にしたことを特徴とする複合包装材。
【請求項２】
前記中央の底面部材の幅は、前記境界折れ線より前記中央折れ線側へ徐々に広くして、前記フラップの両側部に前記側方底部位の上方への重合部を形成し、且つ中央部には括れ部を形成して両側部に切欠き部を形成し、前記側方底部位は、内側中央に中央底部位の上方への重合部を形成し、該上方重合部における前記切欠き部の該当部位の幅を、該切欠き部より狭くして先端側を重合可能にしたことを特徴とする請求項１記載の複合包装材。
【発明の詳細な説明】
【技術分野】
【０００１】
本発明は、フィルム包装袋と六角有底筒状で折り畳み・展開自在な外装体で構成された複合包装材に関する。
【背景技術】
【０００２】
従来、フィルム包装袋と六角有底筒状の外装体で構成された複合包装材としては、密閉袋の略下半分を紙板製で六角筒状の外装体で囲い、該外装体のブランクは前面部、後面部、前面部及び後面部の間に位置する底面部とで構成されたものが見受けられる（例えば、特許文献１参照）。
【０００３】
具体的には、前面部及び後面部と底面部の境界部に折れ線を設け、前面部、底面部及び後面部にわたる２本の分割折れ線を設け、底面部に前記分割折れ線に直行する中央折れ線を設け、前記境界折れ線と分割折れ線との交点と前記中央折れ線の端部を結ぶ４本の斜状折れ線を形成し、前面部及び後面部の夫々の両側部に糊代部を折れ線を介して連続形成し、分割折れ線を山折り、糊代部折れ線を谷折り、境界折れ線を山折り、中央折れ線を谷折りし、前面部の糊代部と後面部の糊代部が接着されている。
【０００４】
そして、当該部位を摘んで内側に押すと、前面部の中央部位と後面部の中央部位との間が拡がり、折り畳み状態の底面部が開きながら下がろうとするが、底面部における分割折れ線の内側の矩形部位は平板状に、分割折れ線より外側の二等辺三角形部位は内側より外側上方への傾斜板状に、斜状折れ線より外側部位は前面部及び後面部の両側部位に重なって、有底六角筒状の筒状部に展開される様に成っている。
【先行技術文献】
【特許文献】
【０００５】
【特許文献１】実願昭５３−１０４３１０号（実開昭５５−２１９３９号）のマイクロフィルム
【発明の概要】
【発明が解決しようとする課題】
【０００６】
しかし、上記従来技術にあっては、例えば外装体を、陳列時には折り畳み状態とし、購入後に展開状態として使用する場合、底面部の中央折線は山折れで徐々に角度がなくなっていこうとするが、直行する２本の分割折れ線は徐々に谷折れが深くなっていくことになることから、中央折れ線と分割折れ線との交点部位の周囲部分を歪ませなければならないため、非常に展開し難いなど、解決せねばならない課題があった。
【課題を解決するための手段】
【０００７】
本発明は、上記従来技術に基づく、折り畳み状態の有底筒状の外装体が展開し難い課題に鑑み、外装体のブランクを、前面部、後面部、該前面部及び後面部の間に配置する底面部、前記前面部及び後面部の両側部に位置する糊代部とで構成され、前記前面部は３枚の前面部材を有し、該前面部材の境界部に分割折れ線を形成し、前記後面部は３枚の後面部材を有し、該後面部材の境界部に分割折れ線を形成し、底面部は、各々が独立した３枚の底面部材を有し、各底面部材は２枚のフラップを有し、該フラップの境界部に中央折れ線を形成し、両側方の底面部材は、前記中央折れ線の内端と前記境界折れ線の外端を結ぶ直線で、底部形成部位と連結部位とに区割され、該連結部位の間に前記中央折れ線が形成され、前記両側方の底面部材における一方の底部形成部位及び連結部位の境界に折込み折れ線を形成し、前記底部形成部位と前記連結部位の境界線は、展開状態の前記外装体における中央の底面部材の中央折れ線の延長線上に配置される様に設定され、展開状態の前記外装体の前記両側方の底面部材における一方の連結部位が他方の底部形成部位に重なると共に、他方の連結部位一方の連結部位と他方の底部形成部位との間に折り込まれて形成される側方底部位と、前記中央の底面部材で形成される中央底部位とで底部を形成可能にすることによって、独立した中央の底面部材及び両側方の底面部材の開閉だけで底部を形成可能にして、上記課題を解決する。
【発明の効果】
【０００８】
要するに本発明は、外装体のブランクを、前面部、後面部、該前面部及び後面部の間に配置する底面部、前記前面部及び後面部の両側部に位置する糊代部とで構成され、前記前面部は３枚の前面部材を有し、該前面部材の境界部に分割折れ線を形成し、前記後面部は３枚の後面部材を有し、該後面部材の境界部に分割折れ線を形成し、底面部は、各々が独立した３枚の底面部材を有し、各底面部材は２枚のフラップを有し、該フラップの境界部に中央折れ線を形成し、両側方の底面部材は、前記中央折れ線の内端と前記境界折れ線の外端を結ぶ直線で、底部形成部位と連結部位とに区割され、該連結部位の間に前記中央折れ線が形成され、前記両側方の底面部材における一方の底部形成部位及び連結部位の境界に折込み折れ線を形成し、前記底部形成部位と前記連結部位の境界線は、展開状態の前記外装体における中央の底面部材の中央折れ線の延長線上に配置される様に設定され、展開状態の前記外装体の前記両側方の底面部材における一方の連結部位が他方の底部形成部位に重なると共に、他方の連結部位一方の連結部位と他方の底部形成部位との間に折り込まれて形成される側方底部位と、前記中央の底面部材で形成される中央底部位とで底部を形成可能にしたので、この折り込み状態の外装体の両側部を内側に押すと、折り畳まれた中央の底面部材が中央折れ線を中心に、両側方の底面部材が、中央折れ線が折れた状態のまま、折込み折れ線を中心に展開されて、中央底部位に側方底部位の内側部分が重なって底部が形成されるため、展開中に全く障害がなくスムーズに行うことが出来る。
【０００９】
又、前記中央の底面部材の幅は、前記境界折れ線より前記中央折れ線側へ徐々に広くして、前記フラップの両側部に前記側方底部位の上方への重合部を形成し、且つ中央部には括れ部を形成して両側部に切欠き部を形成し、前記側方底部位は、内側中央に中央底部位の上方への重合部を形成し、該上方重合部における前記切欠き部の該当部位の幅を、該切欠き部より狭くして先端側を重合可能にしたので、形成される側方底部位と中央底部位が相互に上下方向に位置を変えて部分的に重なり合わせることが出来るため、より一体性の高い底部を形成することが出来る等その実用的効果甚だ大である。
【図面の簡単な説明】
【００１０】
【図１】本発明に係る複合包装材の正面図である。
【図２】図１の複合包装材の外装体を展開した状態の断面図である。
【図３】外装体のブランクの平面図である。
【図４】展開状態の外装体の平面図である。
【発明を実施するための形態】
【００１１】
本発明に係る複合包装材にあっては、密閉袋１の下方部位を紙板製で六角筒状の外装体２で囲い、該外装体２のブランク３は前面部４、後面部５、前面部４及び後面部５の間に位置する底面部６、前面部４及び後面部５の両側部に位置する糊代部７、7a、８、8aとで構成されている。
【００１２】
図１、２は、本発明に係る複合包装材の正面図、図１の複合包装材の外装体を展開した状態の断面図、図３は、外装体のブランクの平面図、図４は、展開状態の外装体の平面図である。
【００１３】
前面部４は、下辺より上方へ徐々に幅広く成る中央の前面部材９及び両側方の前面部材10、10a を有し、該中央前面部材９及び側方前面部材10、10a の境界部に、山折れする分割折れ線Ｌ１、Ｌ1aを形成している。
【００１４】
後面部５は、前面部４と同構成で、中央後面部材11及び側方後面部材12、12a の境界部に、山折れする分割折れ線Ｌ２、Ｌ2aを形成している。
【００１５】
底面部６は、各々が独立した中央の底面部材13及び両側方の底面部材14、14a とで構成され、中央底面部材13は２枚の中央フラップ15、15a を、側方底面部材14、14a の夫々も２枚の側方フラップ16、16a を有し、中央フラップ15、15a の境界部に、谷折れする中央折れ線Ｌ６を、側方フラップ16、16a の境界部に、谷折れする中央折れ線Ｌ6aを夫々形成している。
【００１６】
中央底面部材13と中央前面部材９及び中央後面部材11の境界部に、山折れする境界折れ線Ｌ３、Ｌ3aを形成し、側方底面部材14、14a と側方前面部材10、10a 及び側方後面部材12、12a の境界部に、山折れする境界折れ線Ｌ４、Ｌ4a、Ｌ５、Ｌ5aを形成している。
【００１７】
糊代部７、7a、８、8aと側方前面部材10、10a 及び側方後面部材12、12a との境界線に、谷折れする折れ線Ｌ７、Ｌ7a、Ｌ８、Ｌ8aを形成している。
【００１８】
各側方底面部材14、14a は、底部形成部位17、17a と、該底部形成部位17、17a の外側方に連続形成された連結部位18、18a とで構成され、該連結部位18、18a の間に中央折れ線Ｌ6aが形成されている。
【００１９】
各側方底面部材14、14a における一方の底部形成部位17及び連結部位18の境界に、山折れする折込み折れ線Ｌ９を形成している。
【００２０】
尚、側方底面部材14、14a は対称配置されており、一方の側方底面部材14の一方の底部形成部位17は側方前面部材10に、他方の側方底面部材14a 一方の底部形成部位17は側方後面部材12a に夫々連結されている。
【００２１】
又、底部形成部位17、17a と連結部位18、18a との境界は、中央折れ線Ｌ6a、Ｌ6bの内端と境界折れ線Ｌ４、Ｌ4a、Ｌ５、Ｌ5aの外端を結ぶ直線としており、この直線は展開状態の外装体２における中央折れ線Ｌ６の延長線上に配置される様に設定されており、展開状態の外装体２の各側方底面部材14、14a における一方の連結部位18が他方の底部形成部位17a に重なると共に、他方の連結部位18a 一方の連結部位18と他方の底部形成部位17a との間に折り込まれる様に成っている。
【００２２】
そして、境界折れ線Ｌ３、Ｌ3a、Ｌ４、Ｌ4a、Ｌ５、Ｌ5aを山折りすると共に、中央折れ線Ｌ６、Ｌ6a、Ｌ6bを谷折りして、中央底面部材13及び側方底面部材14、14a を前面部４と後面部５との間に折り込み、重なった糊代部７、８、7a、8aを接着することで、折り畳み状態の外装体２が形成され、この中に下部を差し込んだ密閉袋１の前後部を、中央前面部材９及び中央後面部材11をに接着する。
【００２３】
この外装体２を接着された糊代部７、８、7a、8aを摘んで内側に押すと、中央前面部材4a及び中央の後面部材5a間が徐々に拡がり、前面部４は分割折れ線Ｌ１、Ｌ1aが徐々に山折りされ、後面部５は分割折れ線Ｌ２、Ｌ2aが徐々に山折りされ、折り畳まれた中央底面部材6aが中央折れ線Ｌ６を中心に、側方底面部材6b、6cが、中央折れ線Ｌ6a、Ｌ6bが谷折れ状態のまま、徐々に山折りされる折込み折れ線Ｌ９、Ｌ9aを中心に展開されて、中央底部位19a に側方底部位19b 、19c の内側部分が重なって形成された底部19が外装体２に形成され、これに伴い密閉袋１が前後方向に拡がって、机上などに載置可能になる。
【００２４】
又、中央底部位19a となる中央底面部材13の幅は、境界折れ線Ｌ３、Ｌ3aより中央折れ線Ｌ６側へ徐々に広くして、各中央フラップ15、15a の両側部に側方底部位19b 、19c の上方への重合部20、20a を形成し、中央部には括れ部21を形成して狭くして両側部に切欠き部22、22a を形成している。
【００２５】
側方底面部材14、14a で形成される側方底部位19b 、19c は、内側中央に中央底部位19a の上方への重合部23、23a を形成し、該上方重合部23、23a は概ねＴ字形状を呈し、基端部分の幅は切欠き部22、22a より狭く成っている。
【００２６】
よって、側方フラップ16、16a は、先端部分が上方重合部23、23a の形成部位となり、連結部位18、18a との境界との境界線に沿って突出した幅狭部位24、24a の先端に突片部位25、25a が形成されている。
【００２７】
尚、図３において、側方底面部材８の底部形成部位11と連結部位12の境界線と、側方底面部材8aの底部形成部位11a と連結部位12a の境界線を破線で示したが、実際のブランク３には表示されていない。
【符号の説明】
【００２８】
２          外装体
６          底面部
13          中央底面部材
14、14a     側方底面部材
15、15a     中央フラップ
16、16a     側方フラップ
17、17a     底部形成部位
18、18a     連結部位
19a         中央底部位
19b 、19c   側方底部位
20、20a     上方重合部
21          括れ部
22、22a     切欠き部
23、23a     上方重合部
Ｌ１、Ｌ1a  分割折れ線
Ｌ２、Ｌ2a  分割折れ線
Ｌ３、Ｌ3a  境界折れ線
Ｌ４、Ｌ4a  境界折れ線
Ｌ５、Ｌ5a  境界折れ線
Ｌ６、Ｌ6a  中央折れ線
Ｌ９        折込み折れ線
【図１】
2016159958.tif 000003
【図２】
2016159958.tif 000004
【図３】
2016159958.tif 000005
【図４】
2016159958.tif 000006